(57)【特許請求の範囲】
【請求項１】
記念写真の撮影地点に設置され、記念写真の撮影指令を受け付ける操作装置と、前記操作装置と通信可能に接続され、前記操作装置からの撮影指令を受け付けて、前記被写体を撮影する撮影装置と、前記撮影装置と通信可能に接続され、前記撮影装置によって撮影された画像を出力する出力装置とを備える記念写真撮影システムであって、
前記操作装置は、
前記撮影装置によって撮影された画像に対して識別番号を付与する識別番号付与手段と、
前記識別番号を人物に提示する識別番号提示手段とを備え、
前記撮影装置は、
前記操作装置によって付与された識別番号と対応する画像とを関連付けて前記出力装置に送信する送信手段を備え、
前記出力装置は、
送信された画像及び当該画像と関連付けられた識別データとを対応付けて記憶する画像記憶手段と、
前記識別番号の入力を受け付ける識別番号受付手段と、
入力された識別番号に対応する画像を前記画像記憶手段から読み出して表示装置に表示する表示手段とを備え、
前記撮影装置は、被写体となる人物をズームアップして撮影することで得られた人物を主体とするズームアップ画像と、人物を広角で撮影することで得られた背景を主体とする広角画像とを撮影し、
前記識別番号付与手段は、前記ズームアップ画像及び広角画像に同一の識別番号を付与することを特徴とする記念写真撮影システム。
【請求項２】
前記表示手段は、表示された画像を出力するための出力指令を受け付け、前記画像を記録媒体に出力する出力手段を備えることを特徴とする請求項１記載の記念写真撮影システム。
【請求項３】
前記出力装置は、
前記識別番号付与手段により、前記ズームアップ画像及び広角画像のいずれか一方を縮小し、他方の画像に合成させ一枚の画像を生成する画像合成手段をさらに備えることを特徴とする請求項１又は２記載の記念写真撮影システム。
【請求項４】
前記撮影装置は、撮影装置の設置場所を被写体となる人物に報知するための報知手段を備えることを特徴とする請求項１〜３のいずれかに記載の記念写真撮影システム。
【請求項５】
前記操作装置は、
出力する記念写真の枚数及びサイズを含む撮影情報の設定を受け付ける撮影情報受付手段と、
人体を検出する人体センサと、
記念写真の撮影を促す音声の音声データ及び前記撮影情報の設定を支援するための音声の音声データを記憶する音声データ記憶手段と、
前記人体センサによる検出を受け付けて、撮影を促す音声データを前記音声データ記憶手段から読み出して出力するとともに、前記設定を支援するための音声データを前記音声データ記憶手段から読み出して出力する音声出力手段とをさらに備えることを特徴とする請求項１〜４のいずれかに記載の記念写真撮影システム。
【請求項６】
前記出力手段は、前記出力装置と通信可能に接続された端末装置に対し、前記出力指令がなされた画像を出力することを特徴とする請求項２〜５のいずれかに記載の記念写真撮影システム。
【請求項７】
前記識別番号提示手段は、少なくとも前記出力装置の設置場所と、前記識別番号とが印字されたレシートを発行することを特徴とする請求項１〜６のいずれかに記載の記念写真撮影システム。
【請求項８】
前記撮影装置は、断崖絶壁及び立ち入り禁止区域を含む立ち入り困難な場所に設置されていることを特徴とする請求項１〜７のいずれかに記載の記念写真撮影システム。
【発明の詳細な説明】
【技術分野】
【０００１】
本発明は、観光名所等に訪問したユーザを撮影し、得られた写真をユーザに提供する記念写真撮影システムに関するものである。
【背景技術】
【０００２】
近年、遊園地や観光地では、観光客の記念写真を撮影する種々のシステムが提案されている。例えば、遊園地に設置された、ジェットコースターに搭乗している搭乗者の記念写真を撮影するシステムは、搭乗者をセンサで検知して自動的に撮影するカメラと、撮影された画像をモニタ表示する表示装置と、カメラによって撮影された画像を印画紙にプリントする出力装置とから構成されている。表示装置は、例えばジェットコースターの搭乗口に設置され、カメラによって撮影された複数枚の画像をモニタに一覧表示する。搭乗者は、一覧表示された画像の中から、自分が写っている画像を探し出し、当該画像に対して付与されている画像番号を暗記又はメモ書き等により記憶する。搭乗者は、遊園地内に設けられた写真販売窓口にて、画像番号を提示して記念写真のプリントを申し出る。すると、写真販売窓口に設置された出力装置から画像番号に対応する画像が記録紙に出力され、記念写真を得ることができる。
【発明の開示】
【発明が解決しようとする課題】
【０００３】
しかしながら、従来の記念写真撮影システムでは、搭乗者は、表示装置に一覧表示された複数の画像の中から自分が撮影されている画像を探す必要があり、煩わしいという問題があった。また、自分が撮影されている画像が他人に見られるおそれがあるため、かかる状況を嫌う者に対する配慮が欠けるという問題もあった。
【０００４】
本発明は、上記課題を解決するためになされたものであり、自分が撮影されている画像を探し出すというような煩雑な作業を課すことなく、かつ、自分が撮影されている画像が他人に見られるという状況を回避しうる記念写真撮影システムを提供することを目的とする。
【課題を解決するための手段】
【０００５】
本発明にかかる記念写真撮影システムは、記念写真の撮影地点に設置され、記念写真の撮影指令を受け付ける操作装置と、前記操作装置と通信可能に接続され、前記操作装置からの撮影指令を受け付けて、前記被写体を撮影する撮影装置と、前記撮影装置と通信可能に接続され、前記撮影装置によって撮影された画像を出力する出力装置とを備える記念写真撮影システムであって、前記操作装置は、前記撮影装置によって撮影された画像に対して識別番号を付与する識別番号付与手段と、前記識別番号を人物に提示する識別番号提示手段とを備え、前記撮影装置は、前記操作装置によって付与された識別番号と対応する画像とを関連付けて前記出力装置に送信する送信手段を備え、前記出力装置は、送信された画像及び当該画像と関連付けられた識別データとを対応付けて記憶する画像記憶手段と、前記識別番号の入力を受け付ける識別番号受付手段と、入力された識別番号に対応する画像を前記画像記憶手段から読み出して表示装置に表示する表示手段とを備え、前記撮影装置は、被写体となる人物をズームアップして撮影することで得られた人物を主体とするズームアップ画像と、人物を広角で撮影することで得られた背景を主体とする広角画像とを撮影し、前記識別番号付与手段は、前記ズームアップ画像及び広角画像に同一の識別番号を付与することを特徴とする。
【０００６】
また、前記表示手段は、表示された画像を出力するための出力指令を受け付け、前記画像を記録媒体に出力する出力手段を備えることが好ましい。
【０００７】
また、前記識別番号付与手段により、前記ズームアップ画像及び広角画像のいずれか一方を縮小し、他方の画像に合成させ一枚の画像を生成する画像合成手段をさらに備えることが好ましい。
【０００８】
また、前記撮影装置は、撮影装置の設置場所を被写体となる人物に報知するための報知手段を備えることが好ましい。
【０００９】
また、前記操作装置は、出力する記念写真の枚数及びサイズを含む撮影情報の設定を受け付ける撮影情報受付手段と、人体を検出する人体センサと、記念写真の撮影を促す音声の音声データ及び前記撮影情報の設定を支援するための音声の音声データを記憶する音声データ記憶手段と、前記人体センサによる検出を受け付けて、撮影を促す音声データを前記音声データ記憶手段から読み出して出力するとともに、前記設定を支援するための音声データを前記音声データ記憶手段から読み出して出力する音声出力手段とをさらに備えることが好ましい。
【００１０】
また、前記出力手段は、前記出力装置と通信可能に接続された端末装置に対し、前記出力指令がなされた画像を出力することが好ましい。
【００１１】
また、前記識別番号提示手段は、少なくとも前記出力装置の設置場所と、前記識別番号とが印字されたレシートを発行することが好ましい。
【００１２】
また、前記撮影装置は、断崖絶壁及び立ち入り禁止区域を含む立ち入り困難な場所に設置されていることが好ましい。
【発明の効果】
【００１３】
請求項１記載の発明によれば、撮影装置により、例えば記念写真の被写体となる人物の画像が当該人物の撮影指令により撮影される。撮影された画像は、操作装置により、他の画像と識別するための識別番号が付与され、付与された識別番号が被写体となった人物に提示される。撮影された画像は、撮影装置により、対応する識別番号と関連付けられた出力装置に出力される。そして、付与された識別番号が当該人物によって出力装置に入力されると、入力された識別番号に対応する画像が表示装置に表示される。そして、必要に応じて当該人物による出力指令が指示されると、出力指令によって指定された画像が記録媒体等に出力される。
【００１４】
すなわち、出力装置は、識別番号の入力を受け付け当該識別番号に対応する画像を表示装置に表示しているため、他の人物を被写体とする画像が表示装置に表示されなくなる。そのため、自分が被写体となっている画像が第三者に見られるという状況を回避することができる。また、識別番号に対応する画像のみが、表示装置に表示されるため、一覧表示された画像の中から、自分が被写体となっている画像を探し出すような煩雑な作業を行うことなく、自分が被写体である画像を探し出すことができる。
【００１５】
更に、請求項１記載の発明によれば、広角画像及びズームアップ画像の２枚の画像の中から、出力する画像を選択することができる。また、両画像の対比により壮大な景色や構造物の中にいる自分を体感することができる。
【００１６】
請求項２記載の発明によれば、表示手段によって表示された画像の中から記録媒体に所望の画像を出力することができる。なお、出力装置が出力する記録媒体としては、ＣＤ−ＲＯＭ、フレキシブルディスク、ＭＯ、フラッシュメモリ等のコンピュータ読み取り可能な記録媒体及び印画紙及び記録紙等の紙による記録媒体が含まれる。
【００１７】
請求項３記載の発明によれば、出力指令がなされた画像が、広角画像及びズームアップ画像を合成した画像が生成されるため、壮大な景色や構造物の中にいる自分をより体感することが可能となる。
【００１８】
請求項４記載の発明によれば、撮影装置の設置場所を被写体となる人物に報知するため、当該人物は、撮影装置の位置が速やかに分かり、目線がカメラの方向となる記念写真を撮影することができる。
【００１９】
請求項５記載の発明によれば、操作装置の近傍にいる人物を検知すると、記念写真の撮影を促す音声を出力するため、より多くの顧客を獲得することができる。また、操作装置の操作を支援する音声も併せて出力されるため、撮影情報の設定が容易となる。
【００２０】
請求項６記載の発明によれば、記念写真を自己が所有する端末装置に送信することができる。なお、端末装置としては、ユーザが所有する携帯電話やパーソナルコンピュータが該当する。また、記念写真を送信するにあたり、記念写真の画像データを携帯端末の表示部に表示可能なデータ形式に変換することで、記念写真を容易に携帯電話の待ち画面に採用することができる。
【００２１】
請求項７記載の発明によれば、識別番号と出力装置の設置場所が印字されたレシートが出力されるため、ユーザは識別番号を暗記又はメモ書き等により記憶する必要がなく、また、どこへ行けば、記念写真を得ることができるのかを一目で分かることができる。
【００２２】
請求項８記載の発明によれば、撮影装置が断崖絶壁や立ち入り禁止場所等に設置されているため、人間が踏み入ることのできないような位置から撮影した画像を取得することができる。
【発明を実施するための最良の形態】
【００２３】
図１は、本発明にかかる記念写真撮影システムの全体構成図である。本記念写真撮影システムは、記念写真の撮影地点に設置された撮影装置１と、撮影装置１と無線又は有線により通信可能に接続された操作装置２と、撮影装置１と無線又は有線により通信可能に接続された出力装置３とから構成されている。出力装置３は、プリンタにより記念写真を記録紙に印刷する。また、出力装置３は、記念写真の画像データをコンピュータ読み取り可能な記録媒体に書き込む。さらに、出力装置３は、インターネット接続されており、記念写真の画像データをユーザが所有する携帯電話やパーソナルコンピュータに送信することができる。本実施形態では、記念写真撮影システムをダムえん堤に適用した場合を例に挙げて説明する。
【００２４】
図２は、記念写真撮影システムの撮影装置１と操作装置２との設置状況を示した図である。撮影装置１は、例えば、記念写真を撮影するユーザＵが安易に踏み込むことができないような断崖絶壁Ｗ上に設置されている。操作装置２は、例えば展望台Ｌに設置されている。ユーザＵの背後には、例えば観光名所となる絶景が広がっており、ユーザＵが操作装置２の近傍から撮影装置１に視線を向け、操作装置２のシャッターボタンを押すと、絶景をユーザＵの背景とする記念写真が撮影される。
【００２５】
図３は、撮影装置１のブロック図を示している。撮影装置１は、人物をズームアップで撮影し、人物を主体とするズームアップ画像を取得するズームアップカメラ１１と、人物を含む背景を広角で撮影し、背景を主体とする広角画像を取得する広角カメラ１２と、撮影装置１の全体を制御する制御装置１３と、被写体となるユーザに対し、撮影装置１の場所を報知するための回転灯１４と、通信装置１５とから構成されている。
【００２６】
ズームアップカメラ１１は、ズームアップレンズが装着されたデジタルカメラにより構成されている。ズームアップレンズは、ズームアップカメラ１１と操作装置２との距離を加味して、撮影した画像中に、操作装置２の近傍に位置するユーザＵが多くの領域を占めるような倍率のものが採用される。広角カメラ１２は、広角レンズが装着されたデジタルカメラにより構成されている。
【００２７】
制御装置１３は、パーソナルコンピュータから構成され、撮影装置１全体を制御する。具体的には、ユーザＵが操作装置２のシャッターボタン２３を押すことで、操作装置２から送信された撮影指令信号と、撮影指令信号と併せて送信された識別番号（後述する）とを通信装置１５を介して受信し、ズームアップカメラ１１及び広角カメラ１２のそれぞれの光電変換素子を所定時間露光させる。この場合、制御装置１３は、撮影指令信号を受信した時、回転灯１４に回転命令信号を出力し、回転灯１４を点灯させ、所定時間経過後（例えば１０秒）、ズームアップカメラ１１及び広角カメラ１２の光電変換素子を露光させる。また、制御装置１３は、ズームアップカメラ１１及び広角カメラ１２によって撮影された画像の画像データと、操作装置２によって当該画像に付与された識別番号とを関連付けて、通信装置１５を介して出力装置３に送信する。
【００２８】
回転灯１４は、例えばパトカーの天井部分に載置される回転灯と同一のものであり、タイマーを備え、制御装置１３からの回転命令を受信して点灯し、所定時間経過後（例えば１０秒）、消灯する。
【００２９】
通信装置１５は、アンテナを備え、制御装置１３からの画像データを無線信号としてアンテナから出力させる。また、操作装置２から無線信号として送信された撮影指令信号及び識別番号をアンテナを介して受信し、制御装置１３に出力する。
【００３０】
図４は、操作装置２のブロック図を示している。操作装置２は、装置全体を制御する制御装置２１と、ユーザＵからの種々の操作指令を受け付けるタッチパネル２２と、ユーザＵによる撮影指令を受け付けるシャッターボタン２３と、撮影した画像に対して付与された識別番号が印刷されたレシートを発行するプリンタ２４と、ユーザＵの操作を促す音声を報知するスピーカ２５と、ユーザＵの存在の有無を検知するセンサ２６とを備えている。
【００３１】
制御装置２１は、ＣＰＵ（中央処理装置）、ＲＯＭ（リードオンリーメモリ）、ＲＡＭ（ランダムアクセスメモリ）及びハードディスク等を含むパーソナルコンピュータから構成され、ハードディスクには、オペレーティングシステムと操作装置２を制御するための制御プログラムとが記憶されている。そして、ＣＰＵは、オペレーティングシステム及び制御プログラムを実行することで、パーソナルコンピュータを処理部２１１及び記憶部２１２として機能させる。
【００３２】
記憶部２１２は、音声データ記憶部２１２ａを備えている。音声データ記憶部２１２ａは、ユーザＵに操作装置２の操作を支援するためにスピーカ２５から出力される音声の音声データを複数パターン記憶するとともに、センサ２６によって人体が検出されたとき、記念写真の撮影を促すためにスピーカ２５から出力される音声の音声データを記憶している。
【００３３】
処理部２１１は、撮影開始受付部２１１ａ、撮影情報受付部２１１ｂ、撮影指令受付部２１１ｃ、識別番号付与部２１１ｄ及びレシート画像作成部２１１ｅを備えている。
【００３４】
撮影開始受付部２１１ａは、センサ２６が撮影装置１の近くにいるユーザＵを認識した時、音声データ記憶部２１２ａから、ユーザＵに記念写真の撮影を促すための音声データを読み出し、当該音声データの音声をスピーカ２５から出力させ、タッチパネルに撮影を開始するための撮影開始ボタンを表示させる。
【００３５】
撮影情報受付部２１１ｂは、撮影開始ボタンをタッチすることで入力された撮影情報の入力を受け付ける。撮影情報には、撮影する記念写真の枚数を示す枚数情報、記念写真のサイズを示すサイズ情報及び記念写真を装飾するための画像であるテンプレート画像の種類を示すテンプレート画像の種別番号が含まれる。
【００３６】
撮影指令受付部２１１ｃは、ユーザＵがシャッターボタン２３を押すことによる撮影指令を受け付け、撮影指令信号を生成し、通信装置２７を介して撮影装置１に出力する。なお、撮影指令受付部２１１ｃは、設定された枚数情報が示す枚数分（回数分）の撮影指令を受け付ける。例えば、枚数情報が３である場合、ユーザは、シャッターボタン２３を３回押すことができる。
【００３７】
識別番号付与部２１１ｄは、撮影指令受付部２１１ｃにより撮影指令が受け付けられた時、撮影される画像に対し、他の画像と区別するための識別番号を付与し、通信装置２７を介して撮影装置１に送信する。この場合、識別番号付与部２１１ｄは、枚数情報が示す回数分、シャッターボタン２３が押されることで撮影された全ての画像に同一の識別番号を付与する。例えば、枚数情報が３である場合、シャッターボタン２３が３回押されることで撮影された６枚（１回のシャッターにより広角画像とズームアップ画像が撮影されるため）の画像に対し同一の識別番号が付与される。
【００３８】
また、識別番号付与部２１１ｄは、撮影情報受付部２１１ｂによって設定された撮影情報に付与した識別番号を関連付け、通信装置２７を介して出力装置３に送信する。
【００３９】
レシート画像作成部２１１ｅは、付与された識別番号、撮影日時、撮影情報及び出力装置３の設置場所を示す地図若しくは場所名が表示されたレシート画像を作成し、作成したレシート画像をプリンタ２４に出力し、記録紙に印字させる。これによりレシートが発行される。
【００４０】
センサ２６は、例えば、人体から輻射される赤外線を検出して電気信号を生成する焦電素子等を含む赤外線センサから構成されている。タッチパネル２２は、液晶表示パネルから構成されている。プリンタ２４としては、レーザプリンタ又はサーマル式若しくはバブルジェット式等のインクジェットプリンタが採用される。
【００４１】
通信装置２７は、識別番号付与部２１１ｄによって付与された識別番号を無線信号に変換して撮影装置１に送信するとともに、撮影指令受付部２１１ｃによって生成された撮影指令信号を無線信号に変換して撮影装置１に送信する。さらに、通信装置２７は、識別番号付与部２１１ｄによって識別番号と関連付けられた撮影情報を無線信号に変換して出力装置３に送信する。
【００４２】
図５は、出力装置３のブロック図を示している。出力装置３は、ユーザＵによる識別番号の入力及び出力する画像の出力指令を受け付ける操作部３１と、ユーザＵの出力指令によって指定された画像を記録紙に印刷させるプリンタ３２と、入力された識別番号に関連する画像を一覧表示する表示装置３３と、撮影装置１から送信された画像データ等を受信する通信装置３４と、出力装置３全体を制御する制御装置３５とから構成されている。
【００４３】
操作部３１は、テンキー、方向キー、出力許可ボタン等から構成されている。プリンタ３２は、レーザプリンタ、インクジェットプリンタ及び写真現像機等が採用される。表示装置３３は、ＣＲＴ（陰極線管）、液晶表示パネル及びプラズマディスプレイが採用される。制御装置３５は、ＣＰＵ（中央処理装置）、ＲＡＭ（ランダムアクセスメモリ）、ＲＯＭ（リードオンリーメモリ）及びハードディスク等から構成されるパーソナルコンピュータである。ハードディスクには、オペレーティングシステム及び出力装置３全体を制御する制御プログラムが記憶され、ＣＰＵは、これらのプログラムを実行することにより、コンピュータを処理部３５１及び記憶部３５２として機能させる。
【００４４】
記憶部３５２は、画像データ記憶部３５２ａ、撮影情報記憶部３５２ｂ及びテンプレート画像記憶部３５２ｃを備えている。画像データ記憶部３５２ａは、通信装置３４によって受信された撮影装置１からの画像データを記憶する。画像データ記憶部３５２ａは、複数枚数の画像データが記憶可能な容量を備え、識別番号と、当該識別番号によって関連付けられた１又は複数枚数の画像の画像データを記憶している。
【００４５】
撮影情報記憶部３５２ｂは、通信装置３４によって受信された操作装置２からの撮影情報を記憶する。この場合、撮影情報記憶部３５２ｂは、撮影情報を識別番号と関連付けて記憶する。撮影情報としては、上述したように、サイズ情報、枚数情報及びテンプレート画像の種別番号が含まれる。
【００４６】
テンプレート画像記憶部３５２ｃは、記念写真の縁部等を装飾するための模様からなる複数種類のテンプレート画像と、各テンプレート画像を特定するためのテンプレート画像の種別番号とを対応付けて記憶している。
【００４７】
処理部３５１は、識別番号受付部３５１ａ、出力指令受付部３５１ｂ、出力画像作成部３５１ｃ、表示制御部３５１ｄ、出力部３５１ｅ、画像処理部３５１ｆ及び画像合成部３５１ｇを備えている。
【００４８】
識別番号受付部３５１ａは、ユーザＵが操作部３１を介して入力した識別番号を受け付け、対応する画像を画像データ記憶部３５２ａから読み出し、表示制御部３５１ｄに出力する。
【００４９】
画像合成部３５１ｇは、ズームアップ画像を縮小して広角画像と合成し、広角画像の一部の領域に縮小されたズームアップ画像が表された一枚の画像を生成する。
【００５０】
出力指令受付部３５１ｂは、ユーザＵが入力した識別番号と関連付けられた画像の中からユーザＵが出力することを希望する画像に対する出力指令を受け付け、出力指令によって指定された画像の画像データを画像データ記憶部３５２ａから読み出し、出力画像作成部３５１ｃに出力する。
【００５１】
出力画像作成部３５１ｃは、ユーザＵによって出力が指定された画像に対応するテンプレート画像をテンプレート画像記憶部３５２ｃから読み出し、読み出したテンプレート画像と、出力が指定された画像とを合成して出力画像を作成し、出力部３５１ｅに出力する。詳細には、指定された画像に関連付けられた撮影情報に含まれるテンプレート画像の種類を示す種別番号を読み取り、読み取った種別番号に対応するテンプレート画像をテンプレート画像記憶部３５２ｃから読み出す。また、出力画像作成部３５１ｃは、出力画像に関連付けられた撮影情報に含まれるサイズ情報を読み出し、当該サイズ情報によって指定されたサイズに、出力画像を拡大又は縮小させる。なお、撮影情報にテンプレート画像の種別番号が含まれていない場合は、出力が指定された画像を出力画像として出力部３５１ｅに出力する。
【００５２】
表示制御部３５１ｄは、識別番号受付部３５１ａから出力された画像データを及び画像合成部３５１ｇによって合成された画像を基に、これらの画像を一覧表示するインデックス画像を作成し表示装置３３に表示させる。また、表示制御部３５１ｄは、ユーザＵによる操作を促す種々の画像を表示装置３３に表示させる。
【００５３】
出力部３５１ｅは、記念写真を、記録紙、コンピュータ読み取り可能な記録媒体、インターネットを介して接続された端末装置のいずれに出力するかの出力選択指令を受け付け、指定された出力先に、出力画像作成部３５１ｃによって生成された出力画像を出力する。詳細には、出力先として記録紙が選択された場合は、出力画像をプリンタ３２に出力する。また、コンピュータ読み取り可能な記録媒体が指定された場合は、出力画像を画像処理部３５１ｆによって例えばＪＰＥＧ形式に圧縮させた後、記録媒体駆動装置３６に出力する。また、インターネットを介して接続された端末が指定された場合は、当該端末のネットワークアドレスの入力を操作部３１を介して受け付け、出力画像を画像処理部３５１ｆによって例えばＪＰＥＧ形式に圧縮させた後、通信装置３４を介して入力されたネットワークアドレスに出力する。
【００５４】
記録媒体駆動装置３６は、ＪＰＥＧ形式に圧縮された出力画像をコンピュータ読み取り可能な記録媒体に記録させる。ここで、コンピュータ読み取り可能な記録媒体としては、ＣＤ−ＲＯＭ、フレキシブルディスク、フラッシュメモリ、ＭＯ、ＤＶＤ−ＲＯＭが含まれる。
【００５５】
次に、記念写真撮影システムの動作について説明する。図６及び図７は、記念写真撮影システムの動作を示すフローチャートである。まず、ステップＳ２１において、操作装置２のセンサ２６により、ユーザＵが検出されると（ステップＳ２１でＹＥＳ）、撮影情報を設定する処理が実行される（ステップＳ２２）。この処理については後述する。ユーザＵが検出されない場合（ステップＳ２１でＮＯ）、ステップＳ２１の処理が繰り返し実行される。
【００５６】
操作装置２において、ユーザＵによりシャッターボタン２３が押され、撮影指令受付部２１１ｃにより、撮影指令が受け付けられると（ステップＳ２３でＹＥＳ）、識別番号付与部２１１ｄにより、識別番号が付与され（ステップＳ２４）、付与された識別番号が、撮影指令信号と併せて、撮影装置１に送信される（ステップＳ２５）。また、ステップＳ２４で識別番号付与部２１１ｄにより付与された識別番号が、ステップＳ２２で設定された撮影情報と関連付けられて、出力装置３に送信される（ステップＳ２６）。撮影指令が受け付けられない場合（ステップＳ２３でＮＯ）、ステップＳ２３の処理が繰り返し行なわれる。
【００５７】
操作装置２において、レシート画像作成部２１１ｅにより、識別番号、撮影日時、撮影情報及び出力装置３の設置場所を示す地図若しくは場所名が表示されたレシート画像が作成され（ステップＳ２７）、プリンタ３２によって記録紙にレシート画像が印字されレシートが発行される。この場合、図８に示すようなレシートが発行される。このレシートの上部に記載された「注文番号」は、上述した識別番号を示し、注文番号の下部に記載された「商品種」は上述のサイズ情報の内容を示し、「商品種」の下部に記載された「注文枚数」は上述の枚数情報の内容を示している。
【００５８】
この図の場合、商品種として“ｓｔａｎｄａｒｄ”と記載されているため、出力される記念写真は標準サイズとなる。また、注文枚数として“１”と記載されているため、撮影装置１により、ズームアップ画像と広角画像がそれぞれ１枚ずつ撮影されている。また、注文枚数の下側には、撮影時刻とレシートの発行時間が記載され、その下側には、写真の引き換え場所が示されている。この図では、中央広場内とされている。したがって、ユーザＵは、発行されたレシートを所持して、中央広場に行き、広場内に設けられた写真交換場所を訪れ、写真交換場所に設置された出力装置３に、このレシートに記載された注文番号を入力すると、撮影された画像を一覧表示したインデックス画像が、出力装置３に表示される。
【００５９】
撮影装置１において、操作装置２からの識別番号及びそれに併せて送信された撮影指令信号が受信されると（ステップＳ１１でＹＥＳ）、制御装置１３により、ズームアップカメラ１１及び広角カメラ１２の光電変換素子が露光され、ユーザＵを被写体とするズームアップ画像及ぶ広角画像が撮影される（ステップＳ１２）。撮影された画像は、識別番号と関連付けられ、出力装置３に送信される（ステップＳ１３）。一方、撮影指令信号が受信されない場合（ステップＳ１１でＮＯ）、ステップＳ１１の処理が繰り返される。
【００６０】
出力装置３において、撮影された画像及び撮影情報が受信されると（ステップＳ３１でＹＥＳ）、画像データ記憶部３５２ａにより、受信された画像と、当該画像に関連付けられた識別番号とが対応付けられて記憶されるとともに、撮影情報記憶部３５２ｂにより、受信された撮影情報が対応する識別番号と関連付けられて記憶される（ステップＳ３２）。
【００６１】
ステップＳ３１において、撮影された画像及び撮影情報が受信されなかった場合（ステップＳ３１でＮＯ）、ステップＳ３２をスルーしてステップＳ３３に進む。
【００６２】
出力装置３において、ユーザＵからの識別番号が入力されると（ステップＳ３３でＹＥＳ）、識別番号受付部３５１ａにより、識別番号と関連付けられた画像が画像データ記憶部３５２ａから読み出され、読み出された画像のうち、対応するズームアップ画像及び広角画像同士が、画像合成部３５１ｇにより合成される（ステップＳ３４）。ユーザＵからの識別番号が入力されない場合（ステップＳ３３でＮＯ）、ステップＳ３３の処理が繰り返し行なわれる。
【００６３】
次いで、表示制御部３５１ｄにより、識別番号受付部３５１ａにより読み出された画像と画像合成部３５１ｇにより合成された画像とを一覧表示するインデックス画像が作成され、表示装置３３に表示される（ステップＳ３５）。
【００６４】
次いで、ユーザＵにより、インデックス画像の中から出力する画像が指定されると（ステップＳ３６でＹＥＳ）、出力画像作成部３５１ｃにより、出力画像が、当該画像に関連付けられた撮影情報に基づいて作成される（ステップＳ３７）。この場合、指定された画像と、撮影情報に含まれるテンプレート画像の種別番号に対応するテンプレート画像とが合成され、合成された画像が、撮影情報に含まれるサイズ情報によって指定されたサイズに縮小又は拡大され、出力画像が作成される。ユーザＵにより、インデックス画像の中から出力する画像が指定されない場合（ステップＳ３６でＮＯ）、ステップＳ３１に戻る。
【００６５】
次いで、ユーザＵにより、出力画像の出力先が入力されると（ステップＳ３８でＹＥＳ）、出力画像作成部３５１ｃにより、出力先に対応する処理が実行される。出力先としては、インターネットを介して接続された端末装置、記録紙、コンピュータ読み取り可能な記録媒体がある。端末装置としては、ユーザが所有するパソコンや、携帯電話、ＰＤＡ等が含まれる。ユーザＵにより、出力画像の出力先が入力されない場合（ステップＳ３８でＮＯ）、ステップＳ３８の処理を繰り返す。
【００６６】
すなわち、出力先としてインターネットを介して接続された端末装置が指定された場合（ステップＳ３９でＹＥＳ）、出力画像がＪＰＥＧに圧縮され（ステップＳ４０）、表示制御部３５１ｄにより、表示装置３３にネットワークアドレスの入力を受け付ける画面が表示される（ステップＳ４１）。そして、ユーザＵにより、ネットワークアドレスが入力されると（ステップＳ４２でＹＥＳ）、ＪＰＥＧに圧縮された出力画像が、入力されたネットワークアドレスを有する端末装置に送信される（ステップＳ４３）。ユーザＵにより、ネットワークアドレスが入力されない場合（ステップＳ４２でＮＯ）、ステップＳ４２の処理を繰り返す。
【００６７】
一方、記録紙への出力が指定された場合（ステップＳ３９でＮＯ、ステップＳ４４でＹＥＳ）、プリンタ３２により出力画像が記録紙に印刷される（ステップＳ４５）。これにより記念写真が印刷される。
【００６８】
一方、記録紙への出力が指定されず（ステップＳ４４でＮＯ）、コンピュータ読み取り可能な記録媒体の出力が指定された場合（ステップＳ４６でＹＥＳ）、出力画像がＪＰＥＧ形式に圧縮される（ステップＳ４７）。次いで、表示制御部３５１ｄにより、コンピュータ読み取り可能な記録媒体の種類を選択するための画面が表示装置３３に表示され（ステップＳ４８）、ユーザＵにより出力する記録媒体が指定されると（ステップＳ４９でＹＥＳ）、記録媒体駆動装置３６により、ＪＰＥＧに圧縮された出力画像は、指定された記録媒体に書き込まれる（ステップＳ５０）。この場合、ユーザＵは、ＭＯ、フレキシブルディスク、フラッシュメモリ、ＣＤ−ＲＯＭ及びＤＶＤ−ＲＯＭ等の中からいずれか１つの記録媒体を指定することができる。一方、コンピュータ読み取り可能な記録媒体の出力が指定されない場合（ステップＳ４６でＮＯ）、ステップＳ３１に戻る。
【００６９】
図９は、図６に示すフローチャートのステップＳ２２のサブルーチンを示したフローチャートである。まず、ステップＳ６１において、撮影開始受付部２１１ａにより、ユーザに記念写真の撮影を促すための音声がスピーカ２５から出力される（ステップＳ６１）。この場合、スピーカ２５からは、例えば「記念写真の撮影はいかがですか？」というような音声が出力される。
【００７０】
ステップＳ６２において、ユーザＵにより、タッチパネル２２に表示された撮影開始ボタンがタッチされると（ステップＳ６２でＹＥＳ）、撮影情報受付部２１１ｂにより、記念写真を装飾するために予め用意された画像であるテンプレート画像のサムネイル画像を一覧表示したインデックス画像が、タッチパネル２２に表示される（ステップＳ６３）。
【００７１】
ステップＳ６４において、撮影情報受付部２１１ｂにより、テンプレート画像の選択を促す音声データが音声データ記憶部２１２ａから読み出され、スピーカ２５から出力される。この場合、例えば「模様を選択してください」というような音声がスピーカ２５から出力される。
【００７２】
ステップＳ６５において、ユーザＵによりテンプレート画像が選択されると（ステップＳ６５でＹＥＳ）、撮影情報受付部２１１ｂにより、選択されたテンプレート画像に対応するテンプレート画像の種別番号が、撮影情報中に設定される。
【００７３】
ステップＳ６６において、撮影情報受付部２１１ｂにより、撮影枚数の入力を受け付ける画面がタッチパネル２２に表示される。ステップＳ６７において、ユーザＵにより、撮影枚数が入力されると（ステップＳ６７でＹＥＳ）、撮影情報受付部２１１ｂにより、入力された枚数が撮影情報の枚数情報として設定される。この場合、撮影情報受付部２１１ｂにより、撮影枚数の入力を促す音声データが音声データ記憶部２１２ａから読み出され、例えば「撮影する記念写真の枚数を入力してください」というような音声がスピーカ２５から出力される。
【００７４】
ステップＳ６８において、撮影情報受付部２１１ｂにより、記念写真のサイズの入力を促す画面がタッチパネル２２に表示される。この場合、撮影情報受付部２１１ｂにより、サイズの入力を促すための音声データが音声データ記憶部２１２ａから読み出され、例えば「記念写真のサイズを入力してください」というような音声がスピーカ２５から出力される。そして、ユーザＵにより、記念写真のサイズが入力されると（ステップＳ６９でＹＥＳ）、撮影情報受付部２１１ｂにより、入力されたサイズが撮影情報のサイズ情報として設定される。なお、ユーザＵは、例えば「ｌａｒｇｅ」、「ｓｔａｎｄａｒｄ」、「ｓｍａｌｌ」の３種類のサイズの中から、いずれか１種類のサイズを入力することができる。
【００７５】
図１０は、本記念写真撮影システムによって撮影された記念写真の一例を示した図であり、（ａ）はズームアップカメラ１１によって撮影されたズームアップ画像を示し、（ｂ）は広角カメラ１２によって撮影された広角画像を示している。また、図１１は、はズームアップ画像と広角画像とを合成した画像を示している。（ａ）に示すようにズームアップ画像は、ユーザＵが１枚の画像のほぼ全域を占めるような大きさで撮影されている。一方、（ｂ）に示すように広角画像は、１枚の画像に対し、できるだけ多くの背景を含ませるために、ユーザＵは、認識することが困難なほど小さなサイズで撮影されている。そして、図１１に示すように広角画像とズームアップ画像とを合成した画像においては、広角画像左斜め下の６分の１程度の領域に、縮小されたズームアップ画像が表示されていることが分かる。
【００７６】
このように、本記念写真撮影システムによれば、操作装置２は、ユーザＵからの撮影指令を受け付けると、撮影装置１にユーザＵを撮影させ、撮影した画像の識別番号が印字されたレシートを発行し、ユーザに提示する。そして、ユーザは、レシートに印字された識別番号を出力装置に入力すると、当該識別番号に対応する画像を一覧表示するインデックス画像が表示され、このインデックス画像の中から、出力希望の画像を選択することにより所望の記念写真を得ることができる。
【００７７】
そのため、出力装置３において、自分が被写体となっている画像のみが一覧表示され、第三者が被写体となっている画像が含まれていないため、出力を希望する画像を迅速に探し出すことができるとともに、自分が被写体となっている画像が第三者から見られるという状況を回避することができる。
【００７８】
さらに、ズームアップ画像及び広角画像の２枚の画像を撮影しているため、これら２枚の画像の対比により、壮大な景色や構造物の中にいる自分を体感することができる。さらに、ズームアップ画像及び広角画像を合成した画像も生成しているため、壮大な景色や構造物の中にいる自分より体感することができる。
【００７９】
なお、本発明は、以下の態様を採用してもよい。
【００８０】
（１）上記実施形態では、本発明にかかる記念写真撮影システムをダムに採用した場合を例に挙げて説明したが、これに限定されず、遊園地において、ジェットコースター等の乗り物に搭乗するユーザＵの記念写真を撮影する場合に適用してもよい。
【００８１】
（２）上記実施形態では、ズームアップ画像と広角画像とを合成した画像を出力装置３で生成する態様を示したが、撮影装置１側でかかる合成した画像を生成し、識別番号と対応づけて、出力装置に送信してもよい。
【００８２】
（３）上記実施形態では、撮影装置１、操作装置２及び出力装置３のそれぞれを無線により通信可能に接続した態様を示したが、これに限定されず、有線により通信可能に接続してもよい。
【００８３】
（４）上記実施形態では、回転灯１４を点灯させて、ユーザＵにカメラの位置を報知する態様を示したが、これに限定されず、音声によりカメラの位置を報知してもよい。この場合、撮影装置１は、出力する音声を録音した記録媒体と、記録媒体に記録された音声を再生する再生装置と、再生された音声を出力するスピーカが必要となる。また、回転灯１４に代えて、カメラに用いられるフラッシュを備え、このフラッシュを点灯させてもよい。この場合、制御装置１３は、シャッターボタン２３が押されてから、光電変換素子が露光されるまでの間、時間が経過するにつれて点滅周期が短くなるようにフラッシュを点灯させ、露光時にフラッシュを最大の光量で点灯させてもよい。フラッシュを用いることにより、暗い場所でも鮮明な画像を得ることができる。
【００８４】
（５）上記実施形態では、人物を被写体とする態様を示したが、これに限定されず、断崖絶壁にいる動物等を被写体としてもよい。
【００８５】
（６）上記実施形態では、操作装置２のシャッターボタンを被写体となる人物自身が押す態様を示したが、これに限定されず、シャッターボタンを例えば販売員が押すものであってもよい。
【００８６】
（７）上記実施形態では、操作部２はタッチパネル２２を備えているが、タッチパネル２２に代えて、種々の情報を表示する表示装置と、撮影情報を入力するための１又は複数のボタンからなる入力装置とを備えるものであってもよい。また、表示装置を省き撮影情報を入力するための入力装置のみを備えるものであってもよい。この場合、ユーザは、入力装置を介して、撮影する記念写真の枚数を示す枚数情報、記念写真のサイズを示すサイズ情報及びテンプレート画像の種別番号を入力する。
【００８７】
（８）上記実施形態では、識別番号付与部２１１ｄは、枚数情報が示す回数分、シャッターボタン２３が押されることで撮影された全ての画像に同一の識別番号を付与していたが、これに限定されず、シャッターボタン２３が押される毎に１つの識別番号を付与してもよい。この場合、１回の撮影動作によって、撮影される広角画像及びズームアップ画像の２枚の画像に対して１つの識別番号が付与されることとなる。例えば、操作装置２は、ユーザにより枚数情報として４が入力されていた場合、４回のシャッター動作により撮影された一連の画像に対し４種類の識別番号を付与し、各識別番号が印刷された４枚のレシートを発行することとなり、出力装置３の画像データ記憶部３５２ａは、各識別番号に対して広角画像とズームアップ画像との２枚の画像を関連付けて記憶することとなる。そのため、出力装置３は、識別番号が入力されると、表示装置３に入力された識別番号に対応する２枚の画像を表示することとなる。
【図面の簡単な説明】
【００８８】
【図１】本発明にかかる記念写真撮影システムの全体構成図である。
【図２】記念写真撮影システムの撮影装置と操作装置との設置状況を示した図である。
【図３】撮影装置のブロック図を示している。
【図４】操作装置のブロック図を示している。
【図５】出力装置のブロック図を示している。
【図６】記念写真撮影システムの動作を示すフローチャートである。
【図７】記念写真撮影システムの動作を示すフローチャートである。
【図８】操作装置によって発行されるレシートを示した図である。
【図９】図６に示すフローチャートのステップＳ２２のサブルーチンを示したフローチャートである。
【図１０】本記念写真撮影システムによって撮影された記念写真の一例を示した図であり、（ａ）はズームアップカメラ１１によって撮影されたズームアップ画像を示し、（ｂ）は広角カメラ１２によって撮影された広角画像を示した図面である。
【図１１】ズームアップ画像と広角画像とを合成した画像を示した図面である。
【符号の説明】
【００８９】
１  撮影装置
２  撮影装置
３  出力装置
１１  ズームアップカメラ
１２  広角カメラ
１３  制御装置
１４  回転灯
１５  通信装置
２１  制御装置
２１１  処理部
２１１ａ  撮影開始受付部
２１１ｂ  撮影情報受付部
２１１ｃ  撮影指令受付部
２１１ｄ  識別番号付与部
２１１ｅ  レシート画像作成部
２１２  記憶部
２１２ａ  音声データ記憶部
２２  タッチパネル
２３  シャッターボタン
２４  プリンタ
２５  スピーカ
２６  センサ
２７  通信装置
３１  操作部
３２  プリンタ
３３  表示装置
３４  通信装置
３５  制御装置
３６  記録媒体駆動装置
３５１  処理部
３５１ａ  識別番号受付部
３５１ｂ  出力指令受付部
３５１ｃ  出力画像作成部
３５１ｄ  表示制御部
３５１ｅ  出力部
３５１ｆ  画像処理部
３５１ｇ  画像合成部
３５２  記憶部
３５２ａ  画像データ記憶部
３５２ｂ  撮影情報記憶部
３５２ｃ  テンプレート画像記憶部
【図１】
0003700945.tif 000002
【図２】
0003700945.tif 000003
【図３】
0003700945.tif 000004
【図４】
0003700945.tif 000005
【図５】
0003700945.tif 000006
【図６】
0003700945.tif 000007
【図７】
0003700945.tif 000008
【図８】
0003700945.tif 000009
【図９】
0003700945.tif 000010
【図１０】
0003700945.tif 000011
【図１１】
0003700945.tif 000012